【手続補正書】
【提出日】平成16年11月5日(2004.11.5)
【手続補正１】
【補正対象書類名】明細書
【補正対象項目名】発明の名称
【補正方法】変更
【補正の内容】
【発明の名称】音声記録再生装置および音声記録再生プログラム
【手続補正２】
【補正対象書類名】明細書
【補正対象項目名】特許請求の範囲
【補正方法】変更
【補正の内容】
【特許請求の範囲】
【請求項１】
記録媒体に格納されている音楽データ、および／または通信手段を介して送信されてくる音楽データを保存する記憶手段を備え、該記憶手段に保存されている音楽データを再生する音声記録再生装置において、
複数の再生順序判断基準情報の中から少なくとも一つの再生順序判断基準情報の選択操作を行う操作手段と、
該操作手段により選択された前記少なくとも一つの再生順序判断基準情報に基づいて、再生順序情報を作成する再生順序情報作成手段と、
前記再生順序情報に基づいて、前記記憶手段に保存されている対応する音楽データを再生する再生制御手段とを備えていることを特徴とする音声記録再生装置。
【請求項２】
前記再生順序判断基準情報が、前記音楽データの曲名情報の五十音順情報あるいはアルファベット順情報であることを特徴とする請求項１記載の音声記録再生装置。
【請求項３】
前記再生順序判断基準情報が、前記音楽データのアーティスト名情報の五十音順情報あるいはアルファベット順情報であることを特徴とする請求項１又は請求項２記載の音声記録再生装置。
【請求項４】
前記再生順序判断基準情報が、前記音楽データのジャンル情報であることを特徴とする請求項１〜３のいずれかの項に記載の音声記録再生装置。
【請求項５】
前記再生順序情報作成手段が、前記再生順序判断基準情報に基づいて、所定の曲数分の前記音楽データで構成されるグループを作成し、作成された前記グループを並べた前記再生順序情報を作成するものであることを特徴とする請求項１〜４のいずれかの項に記載の音声記録再生装置。
【請求項６】
前記操作手段により選択された前記再生順序判断基準情報を告知する告知手段を備えていることを特徴とする請求項１〜５のいずれかの項に記載の音声記録再生装置。
【請求項７】
前記操作手段が、それぞれの再生順序判断基準情報に対応した入力手段を備えていることを特徴とする請求項１〜６のいずれかの項に記載の音声記録再生装置。
【請求項８】
前記再生順序情報作成手段が、前記音楽データのそれぞれに関する重要度を参照し、該重要度を再生順序情報の作成に反映させるものであることを特徴とする請求項１〜７のいずれかの項に記載の音声記録再生装置。
【請求項９】
記録媒体に格納されている音楽データ、および／または通信手段を介して送信されてくる音楽データを保存する記憶手段を備え、該記憶手段に保存されている音楽データを再生する音声記録再生装置に、
複数の再生順序判断基準情報の中から少なくとも一つの再生順序判断基準情報を選択させる機能と、
選択された前記少なくとも一つの再生順序判断基準情報に基づいて、再生順序情報を作成する機能と、
前記再生順序情報に基づいて、前記記憶手段に保存されている対応する音楽データを再生する機能とを実現させることを特徴とする音声記録再生プログラム。
【手続補正３】
【補正対象書類名】明細書
【補正対象項目名】０００１
【補正方法】変更
【補正の内容】
【０００１】
【発明の属する技術分野】
本発明は、ハードディスクやＤＶＤなど大容量の記憶手段を備えた音声記録再
生装置および音声記録再生プログラムにおいて、再生する曲の順序を示した情報
を基に、保存されている曲を逐次再生することができる音声記録再生装置および
音声記録再生プログラムに関する。
【手続補正４】
【補正対象書類名】明細書
【補正対象項目名】００１３
【補正方法】変更
【補正の内容】
【００１３】
本発明は、上記課題に鑑みなされたものであって、車載用として十分に簡潔な
操作性を有し、かつ、保存された多くの音楽データをユーザの希望に沿って有効
に活用することができる音声記録再生装置および音声記録再生プログラムを提供
することを目的としている。
【手続補正５】
【補正対象書類名】明細書
【補正対象項目名】００１４
【補正方法】変更
【補正の内容】
【００１４】
【課題を解決するための手段及びその効果】
上記目的を達成するために、本発明に係る音声記録再生装置（１）は、記録媒
体に格納されている音楽データ、および／または通信手段を介して送信されてく
る音楽データを保存する記憶手段を備え、該記憶手段に保存されている音楽デー
タを再生する音声記録再生装置において、複数の再生順序判断基準情報の中から
少なくとも一つの再生順序判断基準情報の選択操作を行う操作手段と、該操作手
段により選択された前記少なくとも一つの再生順序判断基準情報に基づいて、再
生順序情報を作成する再生順序情報作成手段と、前記再生順序情報に基づいて、
前記記憶手段に保存されている対応する音楽データを再生する再生制御手段とを
備えていることを特徴としている。
上記音声記録再生装置（１）によれば、ユーザは、再生順序判断基準情報を選
択するだけで、その再生順序判断基準情報を基にした再生順序情報の作成が自動
的になされ、この再生順序情報を基に保存されている音楽データを逐次再生させ
ることができる。これにより、従来のプログラム再生機能のように長時間かけて
プログラムを作成する必要がなくなり、また、幾分ランダム性を有する選曲機能
を楽しむことができる。さらに、新たに音楽データを保存し、保存されている内
容が更新された場合でも、自動的に最新の音楽データを反映させることができる
ので、保存した音楽データを聴かずに忘れてしまうことを防ぐ効果がある。
【手続補正６】
【補正対象書類名】明細書
【補正対象項目名】００１５
【補正方法】変更
【補正の内容】
【００１５】
また、本発明に係る音声記録再生装置（２）は、上記音声記録再生装置（１）
において、前記再生順序判断基準情報が、前記音楽データの曲名情報の五十音順
情報あるいはアルファベット順情報であることを特徴としている。
上記音声記録再生装置（２）によれば、曲名情報の五十音順あるいはアルファ
ベット順に再生順序情報が作成されるので、保存した曲を曲名順に聴くことがで
きる。また、聴きたい曲の曲名を曖昧に指定する、曲名がうろ覚えの曲を補助的
に検索するなどの機能としても利用できる。
【手続補正７】
【補正対象書類名】明細書
【補正対象項目名】００１６
【補正方法】変更
【補正の内容】
【００１６】
また、本発明に係る音声記録再生装置（３）は、上記音声記録再生装置（１）
又は（２）において、前記再生順序判断基準情報が、前記音楽データのアーティ
スト名情報の五十音順情報あるいはアルファベット順情報であることを特徴とし
ている。
上記音声記録再生装置（３）によれば、アーティスト名情報の五十音順あるい
はアルファベット順に再生順序情報が作成されるので、同じアーティストの曲を
続けて聴くことができる。また、聴きたい曲のアーティスト名を曖昧に指定する
、アーティスト名がうろ覚えの曲を補助的に検索するなどの機能としても利用で
きる。
【手続補正８】
【補正対象書類名】明細書
【補正対象項目名】００１７
【補正方法】変更
【補正の内容】
【００１７】
また、本発明に係る音声記録再生装置（４）は、上記音声記録再生装置（１）
〜（３）のいずれかにおいて、  前記再生順序判断基準情報が、前記音楽データ
のジャンル情報であることを特徴としている。
上記音声記録再生装置（４）によれば、あるジャンルに属する曲を順に聴くこ
とができる。
【手続補正９】
【補正対象書類名】明細書
【補正対象項目名】００１８
【補正方法】変更
【補正の内容】
【００１８】
また、本発明に係る音声記録再生装置（５）は、上記音声記録再生装置（１）
〜（４）のいずれかにおいて、前記再生順序情報作成手段が、前記再生順序判断
基準情報に基づいて、所定の曲数分の前記音楽データで構成されるグループを作
成し、作成された前記グループを並べた前記再生順序情報を作成するものである
ことを特徴としている。
上記音声記録再生装置（５）によれば、前記再生順序判断基準情報（例えば、
曲名情報の五十音順情報あるいはアルファベット順情報）に基づいて、曲名情報
の五十音順あるいはアルファベット順などに所定の曲数分の音楽データで構成さ
れるグループを自動的に作成させることができ、このグループを並べた再生順序
情報を作成させることができるので、音楽データの管理が容易となる。
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】削除
【補正の内容】
【手続補正１４】
【補正対象書類名】明細書
【補正対象項目名】００２３
【補正方法】削除
【補正の内容】
【手続補正１５】
【補正対象書類名】明細書
【補正対象項目名】００２４
【補正方法】削除
【補正の内容】
【手続補正１６】
【補正対象書類名】明細書
【補正対象項目名】００２５
【補正方法】削除
【補正の内容】
【手続補正１７】
【補正対象書類名】明細書
【補正対象項目名】００２６
【補正方法】変更
【補正の内容】
【００２６】
また、本発明に係る音声記録再生装置（６）は、上記音声記録再生装置（１）
〜（５）のいずれかにおいて、前記操作手段により選択された前記再生順序判断
基準情報を告知する告知手段を備えていることを特徴としている。
上記音声記録再生装置（６）によれば、ユーザは、現在選択されている再生順
序判断基準情報を確認でき、どのような基準で選曲が行われているのかを知るこ
とができる。
【手続補正１８】
【補正対象書類名】明細書
【補正対象項目名】００２７
【補正方法】変更
【補正の内容】
【００２７】
また、本発明に係る音声記録再生装置（７）は、上記音声記録再生装置（１）
〜（６）のいずれかにおいて、前記操作手段が、それぞれの再生順序判断基準情
報に対応した入力手段を備えていることを特徴としている。
上記音声記録再生装置（７）によれば、所望の再生順序判断基準情報に対応し
た入力手段をワンタッチで操作することにより、その再生順序判断基準情報を選
択することができるので、安全性を維持しつつ多彩な機能を活用することができ
る。
【手続補正１９】
【補正対象書類名】明細書
【補正対象項目名】００２８
【補正方法】変更
【補正の内容】
【００２８】
また、本発明に係る音声記録再生装置（８）は、上記音声記録再生装置（１）
〜（７）のいずれかににおいて、前記再生順序情報作成手段が、前記音楽データ
のそれぞれに関する重要度を参照し、該重要度を再生順序情報の作成に反映させ
るものであることを特徴としている。
上記音声記録再生装置（８）によれば、重要度の低い曲を飛ばしながら上述し
た機能を活用することができ、ユーザの好みにあった音楽データを選択的に聴く
ことができる。
【手続補正２０】
【補正対象書類名】明細書
【補正対象項目名】００２９
【補正方法】変更
【補正の内容】
【００２９】
一方、本発明に係る音声記録再生プログラム（１）は、記録媒体に格納されて
いる音楽データ、および／または通信手段を介して送信されてくる音楽データを
保存する記憶手段を備え、該記憶手段に保存されている音楽データを再生する音
声記録再生装置に、複数の再生順序判断基準情報の中から少なくとも一つの再生
順序判断基準情報を選択させる機能と、選択された前記少なくとも一つの再生順
序判断基準情報に基づいて、再生順序情報を作成する機能と、前記再生順序情報
に基づいて、前記記憶手段に保存されている対応する音楽データを再生する機能
とを実現させることを特徴としている。
上記音声記録再生プログラム（１）によれば、音声記録再生装置（１）が有す
る機能を、容易に他のコンピュータシステムに実現させることができる。さらに
、このプログラムが記録されたコンピュータ読み取り可能な記録媒体により、よ
り多くのコンピュータシステムに音声記録再生装置（１）が有する機能を実現さ
せることができる。
【手続補正２１】
【補正対象書類名】明細書
【補正対象項目名】００３０
【補正方法】削除
【補正の内容】
【手続補正２２】
【補正対象書類名】明細書
【補正対象項目名】００３１
【補正方法】変更
【補正の内容】
【００３１】
【発明の実施の形態】
以下、本発明に係る実施の形態を、添付した図面に基づいて説明する。
図１は、実施の形態に係る音声記録再生装置（１）を示したブロック図である
。図１に示したように、本発明の実施の形態に係る音声記録再生装置（１）は、
制御手段１００、記憶手段１１０、読込手段１２０、再生手段１３０、操作手段
１４０、通信手段１５０、再生順序情報作成手段１６０、再生制御手段１７０お
よび告知手段１８０を備えている。
【手続補正２３】
【補正対象書類名】明細書
【補正対象項目名】００３２
【補正方法】変更
【補正の内容】
【００３２】
制御手段１００は、バス２０を通じて音声記録再生装置（１）に含まれる各手
段を制御するものであり、１つまたは複数の中央処理装置およびその周辺回路で
実現されている。
【手続補正２４】
【補正対象書類名】明細書
【補正対象項目名】００３７
【補正方法】変更
【補正の内容】
【００３７】
通信手段１５０は、無線通信により、音声記録再生装置（１）を電気通信回線
に接続する手段であり、データの送受信を行うものである。これは、携帯電話や
カーナビゲーションシステムなどに搭載された通常の無線通信装置で実現される
。
【手続補正２５】
【補正対象書類名】明細書
【補正対象項目名】００４１
【補正方法】変更
【補正の内容】
【００４１】
図２は、実施の形態に係る音声記録再生装置（１）において使用される音楽デ
ータのデータ構造および再生順序情報の一例を概略的に示したテーブルである。
図示したように、表中にそれぞれ一行で記載された各音楽データは、それぞれ
の音楽データを特定するための識別データと、それぞれの音楽データを再生する
ときの音の情報を示す音響データとを含んで構成されている。識別データは、曲
ＩＤ、曲名情報、アーティスト名情報、ジャンル情報または保存日時情報などを
含んでいる。なお、音響データが、再生動作時の制御情報を含んでいてもよい。
【手続補正２６】
【補正対象書類名】明細書
【補正対象項目名】００４５
【補正方法】変更
【補正の内容】
【００４５】
図３は、実施の形態に係る音声記録再生装置（１）に用いられる操作手段１４
０および告知手段１８０の一例を概念的に示した図である。
操作手段１４０は、固定ボード１４０Ａおよびリモコン１４０Ｂにより実現さ
れている。これらの操作手段１４０は、それぞれの再生順序判断基準情報に対応
した入力手段を備えており、これを操作することで選択された再生順序判断基準
情報が設定される構成となっている。
【手続補正２７】
【補正対象書類名】明細書
【補正対象項目名】００４８
【補正方法】変更
【補正の内容】
【００４８】
図４は、図３に示した音声記録再生装置（１）における制御手段１００の動作
を示したフローチャートである。なお、図３に示した画面１〜５は以下において
も引用する。
まず、ステップＳ４００において、告知手段１８０に画面１を表示し、複数の
再生順序判断基準情報の中から一つの再生順序判断基準情報をユーザに操作手段
１４０を介して選択させ、ステップＳ４０１に進行する。
【手続補正２８】
【補正対象書類名】明細書
【補正対象項目名】００５３
【補正方法】変更
【補正の内容】
【００５３】
実施の形態に係る音声記録再生装置（１）によれば、上述したような簡潔な操
作で、多彩な選曲機能を発揮させることができる。以下、上述した再生順序判断
基準情報を基に、再生順序情報作成手段１６０が再生順序情報を作成する処理に
ついて説明する。
【手続補正２９】
【補正対象書類名】明細書
【補正対象項目名】００７５
【補正方法】変更
【補正の内容】
【００７５】
図１１は、参考の形態に係る音声記録再生装置（２）を示したブロック図であ
る。図１１に示したように、参考の形態に係る音声記録再生装置（２）は、図１
に示した音声記録再生装置（１）の場合と同様に、制御手段１１００、記憶手段
１１１０、読込手段１１２０、再生手段１１３０、操作手段１１４０、通信手段
１１５０、再生順序情報作成手段１１６０、再生制御手段１１７０および告知手
段１１８０を備えている。これらの各手段の詳細については図１に示したものと
同様であるが、ここではさらに照合手段１１９０を備えている点で異なる。また
、読込手段１１２０は、音楽データだけでなく、電気通信回線から送信されてく
る発売日情報またはヒットランキング情報を含む音楽公開情報を読み込むことが
でき、記憶手段１１１０も、音楽データだけでなく、音楽公開情報を保存するこ
とが可能である。
【手続補正３０】
【補正対象書類名】明細書
【補正対象項目名】００７７
【補正方法】変更
【補正の内容】
【００７７】
図１２は、参考の形態に係る音声記録再生装置（２）において使用される音楽
データのデータ構造および再生順序情報の一例を概略的に示したテーブルである
。図１２に示したように、音声記録再生装置（２）で扱われる音楽データは、図
２に示した音声記録再生装置（１）の場合と同様であるが、識別データに、音楽
公開情報として、発売日情報またはヒットランキング情報が含まれる点で異なる
。
【手続補正３１】
【補正対象書類名】明細書
【補正対象項目名】００８４
【補正方法】変更
【補正の内容】
【００８４】
図１４は、参考の形態に係る音声記録再生装置（２）に用いられる操作手段１
１４０および告知手段１１８０の一例を概念的に示した図である。
図示したように、図３に示したものとほぼ同様であるが、ここでは画面１にお
いて、さらに〔５〕発売日と〔６〕ヒットランキングとが追加されており、発売
日情報およびヒットランキング情報が、再生順序判断基準情報として選択可能な
場合を示している。
【手続補正３２】
【補正対象書類名】明細書
【補正対象項目名】００８５
【補正方法】変更
【補正の内容】
【００８５】
また、これらの音楽公開情報が再生順序判断基準情報として選択されたときに
は、〔４〕保存日時が選択された場合と同様に画面４による入力操作が行われる
ことが望ましい。したがって、図１３に示した音声記録再生装置（２）における
制御手段１１００の動作を示したフローチャートは、図４に示したものと同様で
あるので、これらの詳細な説明を省略する。
【手続補正３３】
【補正対象書類名】明細書
【補正対象項目名】０１００
【補正方法】変更
【補正の内容】
【０１００】
上述したように、実施の形態に係る音声記録再生装置（１）または参考の形態
に係る音声記録再生装置（２）によれば、車載用として十分に簡潔な操作で選曲
・再生を行うことができ、かつ、保存された多くの音楽データを有効に活用する
ことができる。
【手続補正３４】
【補正対象書類名】明細書
【補正対象項目名】図面の簡単な説明
【補正方法】変更
【補正の内容】
【図面の簡単な説明】
【図１】  本発明の実施の形態に係る音声記録再生装置（１）を示したブロ
ック図である。
【図２】  実施の形態に係る音声記録再生装置（１）において使用される音
楽データのデータ構造および再生順序情報の一例を概略的に示したテーブルであ
る。
【図３】  実施の形態に係る音声記録再生装置（１）に用いられる操作手段
および告知手段の一例を概念的に示した図である。
【図４】  図３に示した音声記録再生装置（１）における制御手段の動作を
示したフローチャートである。
【図５】  再生順序判断基準情報が、（ａ）曲名情報、（ｂ）アーティスト
名情報の五十音順情報である場合に、再生順序情報作成手段が作成した再生順序
情報を作成したときの一例を概略的に示したテーブルである。
【図６】  再生順序情報作成手段が、図５（ａ）または（ｂ）に示した再生
順序情報を作成するときの動作を示したフローチャートである。
【図７】  再生順序判断基準情報が、ジャンル情報である場合に、再生順序
情報作成手段が作成した再生順序情報を作成したときの一例を概略的に示したテ
ーブルである。
【図８】  再生順序情報作成手段が、図７に示した再生順序情報を作成する
ときの動作を示したフローチャートである。
【図９】  再生順序判断基準情報が、保存日時情報情報である場合に、再生
順序情報作成手段が作成した再生順序情報を作成したときの一例を概略的に示し
たテーブルである。
【図１０】  再生順序情報作成手段が、図９に示した再生順序情報を作成す
るときの動作を示したフローチャートである。
【図１１】  参考の形態に係る音声記録再生装置（２）を示したブロック図
である。
【図１２】  参考の形態に係る音声記録再生装置（２）において使用される
音楽データのデータ構造および再生順序情報の一例を概略的に示したテーブルで
ある。
【図１３】  照合手段が、（ａ）発売日情報、（ｂ）ヒットランキング情報
と音楽データとの間で照合処理を行うときの一例を概略的に示したテーブルであ
る。
【図１４】  参考の形態に係る音声記録再生装置（２）に用いられる操作手
段および告知手段の一例を概念的に示した図である。
【図１５】  再生順序判断基準情報が、発売日情報である場合に、再生順序
情報作成手段が作成した再生順序情報を作成したときの一例を概略的に示したテ
ーブルである。
【図１６】  再生順序情報作成手段が、図１５に示した再生順序情報を作成
するときの動作を示したフローチャートである。
【図１７】  再生順序判断基準情報が、ヒットランキング情報である場合に
、再生順序情報作成手段が作成した再生順序情報を作成したときの一例を概略的
に示したテーブルである。
【図１８】  再生順序情報作成手段が、図１７に示した再生順序情報を作成
するときの動作を示したフローチャートである。
【符号の説明】
１００、１１００  制御手段
１１０、１１１０  記憶手段
１２０、１１２０  読込手段
１３０、１１３０  再生手段
１４０、１１４０  操作手段
１５０、１１５０  通信手段
１６０、１１６０  再生順序情報作成手段
１７０、１１７０  再生制御手段
１８０、１１８０  告知手段
１１９０  照合手段